(57)【特許請求の範囲】
【請求項１】
半截のし瓦を生産する半截のし瓦の製造工程と、
この製造工程で生産された半截のし瓦素地の表面を表側に、逆にその裏面を裏側にして順次搬送し、この半截のし瓦の孔に係止部を有する針金を挿通し、当該孔にこの針金の係止部を係止する当該針金の挿通工程と、
この挿通工程で前記孔より貫通された針金を折曲げて折曲部を形成し、前記係止部とこの折曲部で前記半截のし瓦に当該針金を保持する針金の折曲げ工程と、
この折曲げ工程で製造された針金付き半截のし瓦を数枚結束する結束工程と、
で構成されており、前記折曲部と係止部による半截のし瓦への折曲係止を利用して、当該針金の孔よりの脱落防止を図りつつ、半截のし瓦の製造ラインでの結束を可能とすることを特徴とする針金付き半截のし瓦の製造方法。
【請求項２】
半截のし瓦を生産する半截のし瓦の製造工程と、
この製造工程で生産された半截のし瓦素地の裏面を表側に、逆にその表面を裏側にして順次搬送し、この半截のし瓦の孔に係止部を有する針金を挿通し、当該孔にこの針金の係止部を係止する当該針金の挿通工程と、
この挿通工程で前記孔より貫通された針金を折曲げて折曲部を形成し、前記係止部とこの折曲部で前記半截のし瓦に当該針金を保持する針金の折曲げ工程と、
この折曲げ工程で製造された針金付き半截のし瓦を数枚結束する結束工程と、
で構成されており、前記折曲部と係止部による半截のし瓦への折曲係止を利用して、当該針金の孔よりの脱落防止を図りつつ、半截のし瓦の製造ラインでの結束を可能とすることを特徴とする針金付き半截のし瓦の製造方法。
【発明の詳細な説明】
【０００１】
【発明の属する技術分野】
本発明は、針金付き半截のし瓦の製造方法に関する。
【０００２】
【従来の技術】
従来のし瓦に針金、金具等の係止手段を設ける場合は、瓦施工業者（屋根工事業者）が当該係止手段を、製瓦された半截のし瓦（のし瓦）の孔に挿入係止する方法が一般的である。その方法を大別すると、前記業者がのし瓦の孔に係止固定する方法（図９）と、同業者が係止金具を利用して係止固定する方法（後述する。）と、に大別される。この大別した説明を基に先行技術文献を検討する。先ず、前記図９に示す係止固定方法の例として（１）特開平８−２７７６０８号の熨斗瓦の緊結方法、（２）特開平９−３２２０７号の棟瓦の取付け方法及び取付用支持材等がある。次に、係止金具を利用して係止固定する方法の例として、（３）登録実用新案第３０２４５０６号ののし瓦の緊結留金具、（４）同第３０３４５７２号の屋根葺き用ののしピン等がある。前記（１）、（２）は従来例の図７と同様に葺工作業時に、のし瓦に設けた孔に針線を結縛し、この針線を支持部材に、緊締する構成である。尚、支持部材は野地板に取付けられる。また（３）、（４）は棟に対峙関係となる対ののし瓦にそれぞれ設けた孔間に硬性の係止金具を挿入係止する構成である。即ち、係止金具の掛止部をそれぞれの孔に差込み係止することを特徴とする。
【０００３】
【発明が解決しようとする課題】
前記（１）、（２）の発明はいずれも半截のし瓦に針線を結縛し、この針線を利用して緊締する構成であり、葺工現場において、その都度、半截のし瓦への針線の取付け作業が必要となる。従って、手間を要すること、迅速性に欠けること、また針線の緊締ミス等の如く、作業ミスの発生が考えられること、等の課題がある。次に、（３）、（４）の考案は、半截のし瓦の葺工時に当該対の半截のし瓦に設けた孔にそれぞれ係止する構成であり、葺工現場において、その都度、対の半截のし瓦への係止作業が必要である。従って、手間を要すること、迅速性に欠けること、殊に、左右ののし瓦の孔がずれた場合には不都合であること、等の課題がある。また係止金具の孔への挿入ミスの発生、又は数種の緊締金具を要すること、等の如く、作業面での課題も考えられる。
【０００４】
【課題を解決するための手段】
本発明は、在来の半截のし瓦の製造ラインを有効利用して針金付き半截のし瓦を、確実かつ簡易に製造すること、及び前記製造ラインより送り出される針金付き半截のし瓦を、簡易かつ確実に結束すること、等を意図し、下記の構成を採用する。
【０００５】
請求項１の発明は、半截のし瓦を生産する半截のし瓦の製造工程と、この製造工程で生産された半截のし瓦素地の表面を表側に、逆にその裏面を裏側にして順次搬送し、この半截のし瓦の孔に係止部を有する針金を挿通し、当該孔にこの針金の係止部を係止する当該針金の挿通工程と、この挿通工程で前記孔より貫通された針金を折曲げて折曲部を形成し、前記係止部とこの折曲部で前記半截のし瓦に当該針金を保持する針金の折曲げ工程と、この折曲げ工程で製造された針金付き半截のし瓦を数枚結束する結束工程と、で構成されており、前記折曲部と係止部による半截のし瓦への折曲係止を利用して、当該針金の孔よりの脱落防止を図りつつ、半截のし瓦の製造ラインでの結束を可能とすることを特徴とする針金付き半截のし瓦の製造方法である。
【０００６】
本発明は、在来の半截のし瓦の製造ラインを有効利用して針金付き半截のし瓦を、確実かつ簡易に製造すること、及び前記製造ラインより送り出される針金付き半截のし瓦を、簡易かつ確実に結束すること、等を意図し、下記の構成を採用する。
【０００７】
請求項２の発明は、半截のし瓦を生産する半截のし瓦の製造工程と、この製造工程で生産された半截のし瓦素地の裏面を表側に、逆にその表面を裏側にして順次搬送し、この半截のし瓦の孔に係止部を有する針金を挿通し、当該孔にこの針金の係止部を係止する当該針金の挿通工程と、この挿通工程で前記孔より貫通された針金を折曲げて折曲部を形成し、前記係止部とこの折曲部で前記半截のし瓦に当該針金を保持する針金の折曲げ工程と、この折曲げ工程で製造された針金付き半截のし瓦を数枚結束する結束工程と、で構成されており、前記折曲部と係止部による半截のし瓦への折曲係止を利用して、当該針金の孔よりの脱落防止を図りつつ、半截のし瓦の製造ラインでの結束を可能とすることを特徴とする針金付き半截のし瓦の製造方法である。
【０００８】
【０００９】
【００１０】
【００１１】
【００１２】
【発明の実施の形態】
本発明は、半截のし瓦製造ラインを活用して製造されることを特徴とする。従って、図１の如く、従来の半截のし瓦製造ラインに本発明の針金付きのし製造ラインを付設する構成とする。即ち、半截のし瓦製造ラインから分岐された針金付き半截のし瓦製造ラインが設けられる。この針金付き半截のし瓦製造ラインに搬送されてくる半截のし瓦素地には、針金用の孔が少くとも２個穿設される。即ち、半截する分割用切条（半截線）を中心として対峙する位置に孔が穿設される。ついで、孔付き半截のし瓦素地には順次針金が取付けられる。この針金が取付けられた段階で当該針金の脱落防止と、結束の容易化、確実な結束を図るために、当該針金の一方側（係止片がない側を云う。）を折曲げ、半截のし瓦素地の一面に沿わせる。この操作により孔の一方は係止片が、この孔の他方は折曲部が係止されることにより、前述の如く、脱落防止等に役立つ構造となっている。この針金の折曲げ作業により針金付き半截のし瓦が製造される。この針金付き半截のし瓦は、この例では、半截のし瓦製造ラインに合流され図示しない結束機に搬送される。尚、針金の取付け作業は、原則として自動化されている。尚、図示しないが、針金付き半截のし瓦製造ラインを付設することなく、在来の半截のし瓦製造ラインをそのまま利用し、通常の半截のし瓦と針金付き半截のし瓦とも区々に、またブロック単位等で、それぞれ所定枚数製造する方法もある。
【００１３】
この針金付き半截のし瓦は、葺工時に半截され棟に葺き上げられる。即ち、先ず屋根地に支持金具を立設するとともに、通常は葺土を設け、この葺土に半截のし瓦を葺き上げるとともに、この半截のし瓦の表面に挿通されている針金を表面に沿って引張し支持金具に結縛する。（支持金具をなくし、針金同志を結縛することもある。）この作業を左右でそれぞれ行うとともに、下の方が広い間隔を置いて葺工され、順次上の方に向って狭い間隔で葺工される。各半截のし瓦の針金はそれぞれ支持金具に結縛されるとともに、その都度葺土が設けられていく。以上の作業を繰り返していき、棟が構築される。勿論、半截のし瓦の上方には棟丸瓦が葺工される。尚、葺土なしの乾式棟工法の場合も有り得る。また針金が半截のし瓦の表裏面に挿通されている構成又は前述の例とは逆に裏面に挿通されている場合は、当該裏面に沿って引張し支持金具に結縛する。その他は前述の例と同じである。
【００１４】
【実施例】
１は半截のし瓦Ａの半截のし瓦製造ラインを示し、この半截のし瓦製造ライン１より分岐して針金付き半截のし瓦Ｂの針金付き半截のし瓦製造ライン２を設ける。尚、結束機の省略等を意図し、この半截のし瓦製造ライン１と針金付き半截のし瓦製造ライン２とを合流することがよい。前記半截のし瓦製造ライン１を搬送される半截のし瓦Ａには針金用の孔３が２個以上穿設されており、針金４を取付けない場合は、結束機に向かって搬送される。一方、半截のし瓦製造ライン１で搬送された後、針金付き半截のし瓦製造ライン２に搬送された半截のし瓦素地１Ｂには針金４が取付けられる。即ち、針金付き半截のし瓦製造ライン２に搬送された半截のし瓦素地１Ｂの孔３には針金４が挿入される。例えば、図２の（ａ）、（ｂ）の例は、針金付き半截のし瓦製造ライン２で、半截のし瓦素地１Ｂの表面１Ｂ１（各半截のし瓦に共通して使用する。）を表側に、逆にその裏面１Ｂ２（各半截のし瓦に共通して使用する。）を裏側にして順次搬送されてくる。この搬送されてくる各孔３に係止部４１を下にして針金４がそれぞれ挿通され、各針金４の係止部４１がそれぞれ裏面１Ｂ２に達する。また図３の（ａ）、（ｂ）の例は、針金付き半截のし瓦製造ライン２で、半截のし瓦素地１Ｂの裏面１Ｂ２を表側に、逆にその表面１Ｂ１を裏側にして順次搬送されてくる。この搬送されてくる各孔３に係止部４１を上にして針金４がそれぞれ挿通され、各針金４の係止部４１がそれぞれ裏面１Ｂ２で係止される。更に図４の（ａ）、（ｂ）の例は、針金４を各孔３に入れ違いに設ける構成例を示す。以上の操作及び手順により、針金付き半截のし瓦素地２Ｂが製造される。前述した図２の（ａ）、（ｂ）〜図４の（ａ）、（ｂ）で、針金付き半截のし瓦素地２Ｂが製造されるので、続いて針金４と半截のし瓦素地１Ｂとの連繋を図る。即ち、図２の（ｃ）の例は、挿通した針金４を針金付き半截のし瓦素地２Ｂの表面１Ｂ１にほぼ沿うように表面より折曲げて折曲部４２を形成する。これにより、針金４は係止部４１と折曲部４２とを介して針金付き半截のし瓦素地２Ｂに係止され、当該針金４の脱落防止を図るとともに、結束時の容易な積み重ねを図ることにある。また図３の（ｃ）の例は、挿通した針金４を針金付き半截のし瓦素地２Ｂの表面１Ｂ１にほぼ沿うように裏面より折曲げて折曲部４２を形成する。これにより、針金４は係止部４１と折曲部４２とを介して針金付き半截のし瓦素地２Ｂに係止される。その他は前述図２（ｃ）とほぼ同様である。更に図４（ｃ）の例は、挿通した針金４をのし瓦素地１Ｂの表裏面１Ｂ１、１Ｂ２にほぼ沿うように表面より折曲げて折曲部４２を形成する。これにより、針金４は係止部４１と折曲部４２とを介して針金付き半截のし瓦素地２Ｂに係止される。その他は前述図２（ｃ）とほぼ同様である。尚、針金付き半截のし瓦素地２Ｂに取付けられる針金４の構成は種々考えられるが、好ましい一例を挙げると、図５（イ）〜（リ）の如く、係止部４１を有する針金４をのし瓦素地１Ｂの段付き孔３（一例である。）に取付ける。この係止部４１は、同図（イ）〜（ヘ）が針金４に他の部材、部品等を取り付けた例を、また（ト）〜（リ）が針金４に細工を施したものを示す。そして、この針金４は、例えば、ロボット等の自動操作でワンタッチかつ的確に取付けられること、又は脱落しないように取付けられる構成がよい。尚、針金４は接着材による固止（固定）もある。この場合は係止部４１を省略する。また孔３の形状、位置等は変更できる。図６は針金４の取付け過程を示す。尚、孔３の数は２個以上で、場合により４個等がある。
【００１５】
図中５は分割用切条、６は針金付き半截のし瓦Ｂの針金４を結縛する支持金具、７は葺土、８は屋根地、９は半截のし瓦製造ライン１又は針金付き半截のし瓦製造ライン２の搬送体をそれぞれ示す。
【００１６】
【発明の効果】
請求項１の発明は、針金挿通用の孔を有する半截のし瓦素地を製造し、当該半截のし瓦素地の表面を表側に、逆にその裏面を裏側にして順次搬送し、この半截のし瓦素地の孔に係止部を有する針金を挿通し、当該針金を折曲げて折曲部を形成し、前記係止部と折曲部で、前記半截のし瓦素地に前記針金を連繋して針金付き半截のし瓦素地を製造し、この針金付き半截のし瓦素地を結束する製造方法である。従って、在来の半截のし瓦の製造ラインを使用して、当該、針金付き半截のし瓦を、確実かつ簡易に製造できること、又は在来の半截のし瓦とほぼ同じルートで製造できること、等の特徴を有する。
【００１７】
請求項２の発明は、針金挿通用の孔を有する半截のし瓦素地を製造し、当該半截のし瓦素地の裏面を表側に、逆にその表面を裏側にして順次搬送し、この半截のし瓦素地の孔に係止部を有する針金を挿通し、当該針金を折曲げて折曲部を形成し、前記係止部と折曲部で、前記半截のし瓦素地に前記針金を連繋して針金付き半截のし瓦素地を製造し、この針金付き半截のし瓦素地を結束する製造方法である。従って、在来の半截のし瓦の製造ラインを使用して、当該、針金付き半截のし瓦を、確実かつ簡易に製造できること、又は在来の半截のし瓦とほぼ同じルートで製造できること、等の特徴を有する。
【００１８】
【００１９】
【図面の簡単な説明】
【図１】  針金付き半截のし瓦製造ラインを示す模式図である。
【図２】  針金付き半截のし瓦製造ラインの表面より針金を挿通する模式図であり、（ａ）針金の挿通前の状態を、（ｂ）は針金挿通過程の状態を、（ｃ）は針金の折曲げの状態を、それぞれ示す。
【図３】  針金付き半截のし瓦製造ラインの裏面より針金を挿通する模式図であり、（ａ）針金の挿通前の状態を、（ｂ）は針金挿通過程の状態を、（ｃ）は針金の折曲げの状態を、それぞれ示す。
【図４】  針金付き半截のし瓦製造ラインの表裏面より針金を挿通する模式図である。
【図５】  係止部を設けた針金の各例を示しており、（イ）は板状の係止部を示す。（ロ）は板状の係止部を示す。（ハ）は錐状の係止部を示す。（ニ）はブッシュ状の係止部を示す。（ホ）は錘状の係止部を示す。（ヘ）は偏平部材の係止部を示す。（ト）は渦巻き形状の係止部を示す。（チ）はコイル状の係止部を示す。（リ）は他のコイル状の係止部を示す。
【図６】  半截した針金付きのし瓦の拡大断面図である。
【図７】  半截のし瓦の背面図である。
【図８】  棟の葺工状態をを示す模式図である。
【図９】  従来の半截した針金付きのし瓦の拡大断面図である。
【符号の説明】
１            半截のし瓦製造ライン
２            針金付き半截のし瓦製造ライン
３            孔
４            針金
４１          係止部
４２          折曲部
５            分割用切条
６            支持金具
７            葺土
８            屋根地
９            搬送体
Ａ            半截のし瓦
Ｂ            針金付き半截のし瓦
１Ｂ          半截のし瓦素地
１Ｂ１        表面
１Ｂ２        裏面
２Ｂ          針金付き半截のし瓦素地
【図１】
0003758061.tif 000002
【図２】
0003758061.tif 000003
【図３】
0003758061.tif 000004
【図４】
0003758061.tif 000005
【図５】
0003758061.tif 000006
【図６】
0003758061.tif 000007
【図７】
0003758061.tif 000008
【図８】
0003758061.tif 000009
【図９】
0003758061.tif 000010